(57)【要約】      （修正有）【課題】パイプ及び水栓部材を接続済みの管継手に対して、水栓部材を取り外すことなく後付けできる管継手用カバーを提供する。【解決手段】管継手用カバー１は、第１接続部にパイプ６が接続されかつ第２接続部に単水栓７を接続可能な管継手を覆うためのものである。管継手用カバー１は、半割れ筒状をなす本体２０を備えている。本体２０の端面２０ｂには、パイプ６を引き出すための内縁がＵ字状をなす第１開口１３が形成されている。本体２０の外面には、第２接続部に対応して、内縁が環状をなす第２開口１４が貫通形成されている。本体２０は全体が分割されており、当該分割の境界となる分割線は、第１分割線Ｌ１及び第２分割線Ｌ２の２本が、本体２０の外縁２０ａと第２開口１４の内縁との間を接続するように設定されている。【選択図】図１
2019011852.tif 000002
【特許請求の範囲】
【請求項１】
第１接続部にパイプが接続されかつ第２接続部に水栓部材を接続可能な管継手を覆うための管継手用カバーであって、半割れ筒状をなす本体を備え、当該本体の端面には、前記パイプを引き出すための内縁がＵ字状をなす第１開口が形成され、当該本体の外面には、前記第２接続部に対応して、内縁が環状をなす第２開口が貫通形成された管継手用カバーにおいて、
前記本体の一部又は全体は分割されており、当該分割の境界となる分割線は、１本又は複数本が、前記本体の外縁と前記第２開口の前記内縁との間を接続するように設定されている管継手用カバー。
【発明の詳細な説明】
【技術分野】
【０００１】
本発明は、管継手を覆うための管継手用カバーに関する。
【背景技術】
【０００２】
非特許文献１には、「スポットカバーシステム」と呼ばれる、露出配管に対応した配管カバーシステムが開示されている。当該配管カバーシステムは、露出配管のうちの管継手のみを覆うものであり、露出配管の全体を覆うものと比較して安価であるし、配管完了後の施工つまり後付けが容易であるという利点がある。配管カバーシステムの後付けが可能であるということは、配管作業を速やかに完了させること、つまりは速やかな通水の開始につながる。
【０００３】
図９は、当該「スポットカバーシステム」を構成する「給水栓エルボ」の施工例を示している。当該給水栓エルボ１００が覆う管継手２００は、「座付エルボ」と呼ばれるものであり、第１接続部２０１にパイプ３００が接続されているとともに、第２接続部２０２には、図示しない単水栓等の水栓部材を接続可能である。
【０００４】
給水栓エルボ１００は、半割れ筒状をなす本体１０３を備えている。本体１０３の端面には、パイプ３００を引き出すための内縁がＵ字状をなす第１開口１０１が形成されている。本体１０３の外面には、管継手２００の第２接続部２０２に対応して、内縁が環状をなす第２開口１０２が貫通形成されている。内縁がＵ字状をなして開かれた第１開口１０１により、パイプ３００が管継手２００の第１接続部２０１に接続された状態であっても、管継手２００に対して給水栓エルボ１００を取り付けることができる。
【先行技術文献】
【非特許文献】
【０００５】
【非特許文献１】株式会社オンダ製作所「総合カタログ２０１７−２０１８」、２０９頁
【発明の概要】
【発明が解決しようとする課題】
【０００６】
しかし、給水栓エルボ１００は、見栄え等を考慮し、第２開口１０２の大きさが、第２接続部２０２の開口をぎりぎり露出させる程度に抑えられており、よって第２開口１０２の大きさは水栓部材の大きさよりも小さくなりがちである。したがって、管継手２００の第２接続部２０２に水栓部材が接続された状態では、第２開口１０２を水栓部材が通過できないことが多く、給水栓エルボ１００を管継手２００に対して確実に取り付けるには、水栓部材を管継手２００から取り外す必要があった。
【０００７】
本発明の目的は、パイプ及び水栓部材を接続済みの管継手に対して、水栓部材を取り外すことなく後付けできる管継手用カバーを提供することにある。
【課題を解決するための手段】
【０００８】
上記目的を達成するために本発明の管継手用カバーは、第１接続部にパイプが接続されかつ第２接続部に水栓部材を接続可能な管継手を覆うための管継手用カバーであって、半割れ筒状をなす本体を備え、当該本体の端面には、前記パイプを引き出すための内縁がＵ字状をなす第１開口が形成され、当該本体の外面には、前記第２接続部に対応して、内縁が環状をなす第２開口が貫通形成された管継手用カバーにおいて、前記本体の一部又は全体は分割されており、当該分割の境界となる分割線は、１本又は複数本が、前記本体の外縁と前記第２開口の前記内縁との間を接続するように設定されている。
【０００９】
上記構成によれば、内縁がＵ字状をなして開かれた第１開口により、管継手の第１接続部にパイプが接続された状態であっても、当該管継手に対して管継手用カバーを取り付けることができる。また、内縁が分割線によって分割されて開放可能な第２開口により、管継手の第２接続部に水栓部材が接続された状態であっても、当該管継手に対して管継手用カバーを取り付けることができる。
【図面の簡単な説明】
【００１０】
【図１】第１実施形態の管継手用カバーの施工完了状態を示す正面図。
【図２】図１のＡ−Ａ断面図。
【図３】図１のＢ−Ｂ断面図。
【図４】管継手用カバーの正面図。
【図５】管継手用カバーの背面図。
【図６】第２実施形態の管継手用カバーの施工過程を示す正面図。
【図７】第３実施形態の管継手用カバーの施工過程を示す正面図。
【図８】第４実施形態の管継手用カバーの施工過程を示す正面図。
【図９】従来技術を説明するための斜視図。
【発明を実施するための形態】
【００１１】
以下、本発明を、リフォーム用給水配管に用いられる管継手用カバーに具体化した第１〜第４実施形態について、図面にしたがって説明する。第２〜４実施形態については、第１実施形態との相違点についてのみ説明し、同一部材には同じ符号を付して説明を省略する。
【００１２】
＜第１実施形態＞
図２及び図３に示すように、リフォーム用給水配管（以下、新設配管とする）の施工面である側壁面３には、壁内に敷設された既設の給水配管（以下、既設配管とする）の末端である水栓接続口５が露出して配置されている。既設配管では、水栓接続口５に単水栓等の水栓部材が接続されていた。しかし、今回、既設配管に漏水等の不具合が生じたため、当該既設配管を閉鎖するとともに、側壁面３に露出配管でもって新設配管を施工することで、既設配管の水栓接続口５に接続されていた水栓部材と同等の位置に、単水栓７を設置しようとするものである。
【００１３】
図２に示すように、新設配管を構成する管継手２は、「エルボ」と呼ばれる継手であって、Ｌ字形の一端に第１接続部２１が、他端に第２接続部２２が、それぞれ設けられている。第１接続部２１は、周知のワンタッチ継手構造２１ａを備えている。
【００１４】
新設配管を構成するパイプ６は、側壁面３に敷設されている。パイプ６は、架橋ポリエチレンやポリブテン製の通水管６ａと、通水管６ａを保温したり紫外線等から保護したりするための発泡ポリエチレン製の被覆６ｂとを備えている。管継手２の第１接続部２１には、通水管６ａの一端が挿入されている。通水管６ａは、ワンタッチ継手構造２１ａによって、管継手２からの抜け止めがなされている。
【００１５】
管継手２の第２接続部２２は、雌ねじ部２２ａを備えている。単水栓７は、雄ねじ部７ａが第２接続部２２の雌ねじ部２２ａに螺入されることで、管継手２に対して接続されているとともに、管継手２によって支持されている。管継手２において、第２接続部２２と同軸位置でかつ第２接続部２２に対して第１接続部２１を挟んだ反対側には、外周面に雄ねじ部２３ａを備えた止水プラグ部２３が設けられている。管継手２は、止水プラグ部２３が既設配管の水栓接続口５に螺入されることで、水栓接続口５によって支持されるとともに、止水プラグ部２３によって水栓接続口５を閉止している。
【００１６】
図１〜図３において新設配管は、露出配管のうちの管継手２のみが管継手用カバー１によって覆われており、パイプ６については多くの部分が露出されている。このような管継手用カバー１を用いた配管カバーシステムは、露出配管の全体つまりパイプ６の全体までをも覆うものと比較して安価であるし、配管完了後の施工つまり後付けが容易であるという利点がある。配管カバーシステムの後付けが可能であるということは、新設配管の配管作業を速やかに完了させること、つまりは新設配管の速やかな通水の開始につながる。
【００１７】
管継手用カバー１は、耐候性及び耐紫外線透過性の硬質樹脂材料による一体成形品である。管継手用カバー１は、半割れ筒状の本体２０を備えている。本体２０は、管継手２において第１接続部２１の付近を覆う半円筒状の第１端部１６と、管継手２において第２接続部２２の付近を覆う円筒状の第２端部１５とを備えている。第１端部１６と第２端部１５とは、管継手２のＬ字形に対応した相互の位置関係、すなわち互いの軸線が直交する位置関係となっている。
【００１８】
本体２０において第１端部１６の端面２０ｂには、内縁１３ａがＵ字状をなす第１開口１３が形成されている。管継手２の第１接続部２１に接続されたパイプ６は、第１開口１３を介して外部に引き出されている。本体２０において第１端部１６の内面には、周方向に延びるリブ８が複数設けられている。リブ８は、パイプ６の被覆６ｂに対して食い込むことで、通水管６ａに対する被覆６ｂの相対移動、つまり被覆６ｂの端部が管継手用カバー１内から第１開口１３を介して外部へと抜け出してしまうことを防止する。被覆６ｂの端部が管継手用カバー１の外部へ抜け出すと、通水管６ａが当該外部において露出して、紫外線で劣化し易くなる等の問題を生じる。
【００１９】
本体２０において第２端部１５の外面、詳しくは第２端部１５の円筒の端面には、管継手２の第２接続部２２に対応して、内縁１４ａが環状をなす第２開口１４が貫通形成されている。管継手２は、第２開口１４を介して、第２接続部２２の開口端面２２ｂが外部に露出されている。
【００２０】
本体２０の外縁２０ａにおいて第１開口１３を除く位置には、フランジ部１７が設けられている。管継手用カバー１は、フランジ部１７の裏面を側壁面３に当接させた状態で、フランジ部１７に複数のビス２６が打たれることで、側壁面３に対して固定されている。なお、図４に示すように、フランジ部１７には、ビス２６を打つ位置の目安となる窪み部９が、予め設けられている。
【００２１】
さて、図１、図４及び図５に示すように、管継手用カバー１は、本体２０の全体が、第１分割片１１及び第２分割片１２の２つに分割されている。この分割の境界となる分割線は、第１分割線Ｌ１及び第２分割線Ｌ２の２本が、本体２０の外縁２０ａと第２開口１４の内縁１４ａとの間を接続するように設定されている。
【００２２】
なお、第１分割線Ｌ１及び第２分割線Ｌ２の当該本数は、第１分割片１１の分割端面１１ａと第２分割片１２の分割端面１２ａとが当接された状態（図１の状態）でのものである。したがって、図４及び図５では、第１分割片１１と第２分割片１２とが分離された状態にあるため、第１分割線Ｌ１及び第２分割線Ｌ２についても、第１分割片１１及び第２分割片１２のそれぞれの対応する箇所に符号を付しており、第１分割線Ｌ１及び第２分割線Ｌ２の当該本数は２倍となって表記されている。
【００２３】
第１分割線Ｌ１は、第１開口１３の内縁１３ａから第１端部１６の外面、第２端部１５の外周面及び端面を経由して、第２開口１４の内縁１４ａに至る。第２分割線Ｌ２は、本体２０の外縁２０ａにおいて第２端部１５の基端の近傍から、第２端部１５の外周面及び端面を経由して、第２開口１４の内縁１４ａに至る。
【００２４】
図１に示すように、第１分割線Ｌ１及び第２分割線Ｌ２は、第１端部１６の半円筒の軸線及び第２端部１５の円筒の軸線を含む平面Ｈ１上に位置するように設定されている。したがって、第１分割片１１と第２分割片１２とは、後述する凸部２４及び凹部２５を除いて、平面Ｈ１を中心とした対称形状を有している。
【００２５】
図１〜図３に示すように、第１分割片１１と第２分割片１２との２つに分割された管継手用カバー１は、パイプ６及び単水栓７を接続した状態にある管継手２に対して、後付けが可能である。例えば、第１分割片１１を当該管継手２の一側方において、第２分割片１２を当該管継手２の他側方において、それぞれフランジ部１７を側壁面３に当接させた状態で管継手２に対して接近するようにスライドさせる。そして、第１分割片１１の分割端面１１ａと第２分割片１２の分割端面１２ａとを当接させることにより、開いた状態にあった第２開口１４の内縁１４ａが、内側に第２接続部２２の開口端面２２ｂ付近を位置させた状態で閉じられて、管継手２が管継手用カバー１によって覆われる。
【００２６】
このように、従来においては、当該後付けを困難としていた内径が小さな第２開口１０２（図９参照）が、本実施形態においては、第１分割片１１と第２分割片１２とが分離されることで、内縁１４ａが開かれるようになっている。このため、従来とは異なり、内縁１４ａが閉じた第２開口１４に対して単水栓７を挿通する工程を考慮する必要性が無いのである。
【００２７】
なお、第１分割片１１の分割端面１１ａには、複数（本実施形態では４つ）の凸部２４が設けられている。第２分割片１２の分割端面１２ａには、凸部２４に対応した凹部２５が複数（本実施形態では４つ）設けられている。第１分割片１１の分割端面１１ａと第２分割片１２の分割端面１２ａとを突き合わせる際、凸部２４を凹部２５に挿入すれば、第１分割片１１と第２分割片１２との相対的な位置決めが容易となる。
【００２８】
＜第２実施形態＞
図６に示すように、本実施形態の管継手用カバー１は、上記第１実施形態の管継手用カバー１において、第１分割線Ｌ１及び第２分割線Ｌ２の位置を変更したものである。第２分割線Ｌ２は、第１端部１６の半円筒の軸線及び第２端部１５の円筒の軸線を含む平面Ｈ１に対して、一方側（図６の左方側）にずれて設けられている。第１分割線Ｌ１は、第２分割線Ｌ２に対して、平面Ｈ１を挟んだ他方側（図６の右方側）に対称形状でずれて設けられている。第１分割線Ｌ１と第２分割線Ｌ２とは、正面視にてパイプ６の外径よりも若干大きな間隔で配置された平行線となっている。
【００２９】
第１分割線Ｌ１と第２分割線Ｌ２とが互いに近傍に設けられた本体２０は、第２分割片１２の大きさが第１分割片１１に対して大幅に小さくなっており、この小ささに起因した強度の問題もあって、第２分割片１２には側壁面３に直接固定する手段（窪み部９）が設けられていない。したがって、第２分割片１２は、接着剤やテープ等によって、第１分割片１１に対して固定される。
【００３０】
本実施形態においても上記第１実施形態と同様な作用効果を奏する。また、第１分割線Ｌ１と第２分割線Ｌ２とは、平面Ｈ１を挟んで設けられているとともに、正面視にてパイプ６の外径よりも若干大きな間隔で配置された平行線となっている。したがって、第１分割片１１を、パイプ６の軸線方向にスライドさせて管継手２に対して取り付ける手順を採用することができ、管継手２においてパイプ６の両側のスペースが狭い場合であっても、管継手２に対して管継手用カバー１を取り付けることが容易となる。
【００３１】
＜第３実施形態＞
図７に示すように、本実施形態の管継手用カバー１は、上記第１実施形態の管継手用カバー１において第２分割線Ｌ２を削除して、分割線を第１分割線Ｌ１の１本としたものである。したがって、本体２０は、全体ではなく一部が分割されており、よって第１分割片１１と第２分割片１２とは、第２端部１５において連結されて完全には分離していない。
【００３２】
管継手用カバー１は、軟質樹脂材料により構成されて弾性変形が可能であり、第１分割線Ｌ１を拡開すべく、第１分割片１１と第２分割片１２とが相対回動可能となっている。したがって、管継手用カバー１を、単水栓７が装着された管継手２に対して取り付けるには、この拡開された第１分割線Ｌ１を介して、第２開口１４へと第２接続部２２の開口端面２２ｂ付近を入れる。そして、この拡開された第１分割線Ｌ１、換言すれば開いた状態にある第２開口１４の内縁１４ａを、第１分割片１１と第２分割片１２との相対回動によって閉じればよい。
【００３３】
本実施形態においても上記第１実施形態と同様な作用効果を奏する。また、第１分割片１１と第２分割片１２とが一体であるため、施工時の取り扱いが容易であるし、第１分割片１１及び第２分割片１２の一方を紛失する問題も生じない。
【００３４】
＜第４実施形態＞
図８に示すように、管継手３０は、「チーズ」と呼ばれる継手であって、上記第１実施形態の管継手２において、第１接続部２１と同軸位置でかつ第１接続部２１に対して第２接続部２２を挟んだ反対側に、第１接続部２１と同様な構成の第３接続部５１が設けられた態様を有している。
【００３５】
管継手用カバー３１の本体３２は、第１端部１６と同様な構成の第２端部５２を備えている。管継手用カバー３１は、第１端部１６と第２端部５２との間に、上記第１実施形態の第２端部１５と同様な構成の中間部５３を備えている。
【００３６】
管継手用カバー３１は、本体３２の全体が、第１分割片３３及び第２分割片３４の２つに分割されている。この分割の境界となる分割線は、第１分割線Ｌ３及び第２分割線Ｌ４の２本が、本体３２の外縁３２ａと第２開口１４の内縁１４ａとの間を接続するように設定されている。
【００３７】
第１分割線Ｌ３は、本体３２の外縁３２ａにおいて中間部５３の基端の近傍から、中間部５３の外周面及び端面を経由して、第２開口１４の内縁１４ａに至る。第２分割線Ｌ４は、第１分割線Ｌ３とは第２開口１４の周りにおける１８０°反対側の位置にて、本体３２の外縁３２ａにおいて中間部５３の基端の近傍から、中間部５３の外周面及び端面を経由して、第２開口１４の内縁１４ａに至る。
【００３８】
第１分割線Ｌ３と第２分割線Ｌ４とは、第１分割片３３の分割端面３３ａと第２分割片３４の分割端面３４ａとが当接した状態にて、平面Ｈ１と直交する平面Ｈ２上に位置するように設定されている。したがって、第１分割片３３と第２分割片３４とは、互いの分割端面３３ａ,３４ａが当接した状態にて、平面Ｈ２を中心とした対称形状を有している。
【００３９】
本実施形態においても上記第１実施形態と同様な作用効果を奏する。また、第１分割片３３及び第２分割片３４は、中間部５３（第２開口１４）を平面Ｈ２で二等分するようにして分割されている。したがって、第１分割片３３及び第２分割片３４を、パイプ６の軸線方向にスライドさせて管継手３０に対して取り付ける手順を採用することができ、管継手３０においてパイプ６の両側のスペースが狭い場合であっても、管継手３０に対して管継手用カバー１を取り付けることが容易となる。
【００４０】
＜別例＞
本発明は、例えば次の態様でも実施可能である。
○第１分割片１１,３３と第２分割片１２,３４とを、互いの分割端面１１ａ,１２ａ,３３ａ,３４ａが当接した状態にて、スナップ係合等によって互いに係合可能とすること。
【００４１】
○上記各実施形態において管継手用カバー１,３１は、製造段階において第１分割片１１,３３及び第２分割片１２,３４に分割されていた。これを変更し、製造段階においては、各分割線Ｌ１,Ｌ２,Ｌ３,Ｌ４に対応した部分に溝等の目印を設けておき、施工現場において必要に応じて当該目印をカッター等の工具で切断すること。
【００４２】
○分割線を三本以上の複数本設けることで、管継手用カバーの本体の全体を三つ以上に分割すること。
【符号の説明】
【００４３】
１…管継手用カバー、２…管継手、６…パイプ、７…単水栓、１１…第１分割片、１２…第２分割片、１３…第１開口、１３ａ…内縁、１４…第２開口、１４ａ…内縁、２０…本体、２０ａ…外縁、２０ｂ…端面、２１…第１接続部、２２…第２接続部。
【図１】
2019011852.tif 000003
【図２】
2019011852.tif 000004
【図３】
2019011852.tif 000005
【図４】
2019011852.tif 000006
【図５】
2019011852.tif 000007
【図６】
2019011852.tif 000008
【図７】
2019011852.tif 000009
【図８】
2019011852.tif 000010
【図９】
2019011852.tif 000011